(57)【要約】【課題】  タイルの貼り替え工法では、既存タイルを剥がすこととなり、その作業に伴うタイルの落下の危険性が逆に大きくなる。また、古いタイルを撤去し貼り直しても、タイルが浮くに至る因子迄が消滅するわけではないため、その信憑性が懸念され、実用的ではない。【解決手段】  既設建築物の外壁等のタイル壁においてタイルを連結している目地交点、つまり、いも目地ではタイル４枚、うま目地ではタイル３枚の交点の目地材に切り込み溝を入れタイル４枚または３枚のタイル４の木口部分を長さ８ｃｍ程度に完全に露出させ、そして、躯体コンクリート層に２５ｍｍ以上到達する径５．５ｍｍ程度の孔ａを穿設し、上記孔ａ及び削り込み溝に接着剤を充填した後、該部に装填できる頭部５Ａに貫通孔６を有する形状の金具の軸体５Ｂを挿入し、合わせて前記金具頭部５Ａにおいて隣接するタイル４同士を結束させてタイル４の剥落を防止する既存タイルの落下防止工法。【選択図】図７
2005282145.tif 000002
【特許請求の範囲】
【請求項１】
既設建築物の外壁等のタイル壁においてタイルを連結している目地交点、つまり、いも目地ではタイル４枚、うま目地ではタイル３枚の交点の目地材に切り込み溝を入れタイル４枚または３枚のタイルの木口部分を長さ８ｃｍ程度に完全に露出させ、さらに、躯体コンクリート層に２５ｍｍ以上到達する径５．５ｍｍ程度の孔を穿設し、上記孔及び削り込み溝に接着剤を充填した後、該部に装填できる頭部に貫通孔を有する形状の金具の軸体を挿入し、合わせて前記金具頭部において隣接するタイル同士を接着剤の充填で結束させてタイルの剥落を防止することを特徴とする既存タイルの落下防止工法。
【請求項２】
請求項１記載のタイルの落下防止方法で処理した後、目地の修正は既存目地の色に調色されている目地材にＳＢＲ系混和剤固形分１０％物で混練した材料で金具装填跡を修復することを特徴とする既存タイルの落下防止工法。
【発明の詳細な説明】
【技術分野】
【０００１】
本発明は、既存の建築物の外壁等に貼られているタイルの落下防止の工法に関するものである。
【背景技術】
【０００２】
従来、建築物の外壁等に貼られているタイルは、タイル圧着用セメントモルタルで貼られている。経年でのタイルの浮きは温度変化に起因する収縮が大きく作用しており、そのまま放置しておくといずれは剥がれ落ち、物損事故はもとより、人命に係わる大事故となる。このような場合の対処方法として、イ．タイルの貼り替え方法、ロ．上から止め具で押える方法、ハ．目地部からの接着剤注入、ニ．ピンネット工法（例えば、特許文献１参照）が存在している。
【特許文献１】特開２００１−３２３６３８号公報（特許請求の範囲の欄、発明の詳細な説明の欄の｛実施例｝の段落｛００１８｝〜｛００２３｝、図１、図２を参照）
【発明の開示】
【発明が解決しようとする課題】
【０００３】
しかしながら、上記従来技術において、いずれも下記のような問題点がある。
イ．タイルの貼り替え工法
既存タイルを剥がすこととなり、その作業に伴うタイルの落下の危険性が逆に大きくなる。また、古いタイルを撤去し貼り直しても、タイルが浮くに至る因子迄が消滅するわけではないため、その信憑性が懸念され、実用的ではない。
ロ．上から止め具で押える方法
タイルの落下を防止する為にタイルの上から金具等で押える画鋲式の工法であるがこのような方法は、ピンニング孔の穴あけに技術を要しタイルを破壊するおそれがある。また、補修の痕跡が生じる問題がある。
ハ．目地部からの接着剤注入
接着剤を目地部からタイル裏面に注入し、接着させる方法であるが、目地部からタイル裏面にはタイルの裏足が障害となり確実に接着剤は注入できない。また浮き界面は健全ではないので接着を伴わない注入になることが多く安定した性能を得ることは出来ない。
ニ．ピンネット工法
小型タイルの落下防止に採用され始めた工法だが小型タイルの質感が失せてしまう。
また大型タイルには適用しない理論である。
【課題を解決するための手段】
【０００４】
上記課題を解決するための本発明の第１発明は、請求項１に記載された通りの既存タイルの落下防止方法であり、次のようなものである。
既設建築物の外壁等のタイル壁においてタイルを連結している目地交点、つまりいも目地ではタイル４枚、うま目地ではタイル３枚の交点の目地材に切り込み溝を入れタイル４枚または３枚のタイルの木口部分を長さ８ｃｍ程度に完全に露出させ、さらに、躯体コンクリート層に２５ｍｍ以上到達する径５．５ｍｍ程度の孔を穿設し、上記孔及び削り込み溝に接着剤を充填した後、該部に装填できる頭部に貫通孔を有する形状の金具の軸体を挿入し、合わせて前記金具頭部において隣接するタイル同士を接着剤の充填で結束させてタイルの剥落を防止する構成である。
【０００５】
上記課題を解決するための本発明の第２発明は、請求項２に記載された通りの既存タイルの落下防止方法であり、次のようなものである。
請求項１記載のタイルの落下防止方法で処理した後、目地の修正は既存目地の色に調色されている目地材にＳＢＲ系混和剤固形分１０％物で混練した材料で金具装填跡を修復する構成である。
【発明の効果】
【０００６】
本発明に係る既存タイルの落下防止工法は、上記説明のような構成を有するので、以下に記載する効果を奏する。
このように本発明の方法では、タイルの目地交点にピンニング孔を穿設し、孔を中心にタイル目地材を撤去してタイル木口部分を露出させ、この部分において頭部に貫通孔を有する形状の金具を介して接着剤を用いて固定させるので目視では確認のできないタイル裏面に構成されている各部材の劣化状況には関与することなく、既存タイルを活用して外壁構成部材すべてをコンクリート躯体に結束させることができる。
この結果
（１）はつり、撤去作業等危険作業を伴わず、また、それらの作業によるタイルや下地モルタルの落下等第3者への安全をおびやかすことなく、浮きタイルの落下対策をすることができる。
（２）従来の浮きタイルに対する補修方法は概して浮き界面での接着による考え方であるが、当工法ではタイル同士の連結を図ってそれを金具の軸体によって躯体に結束させるので一般にいわれている温度変化に起因する浮き現象は回避することができる。
（３）浮きタイルの落下防止対策に伴う補修の痕跡つまり、止め具等の異物が壁面上に生じないので美観的、不具合もない。
（４）局部的な、撤去作業以外、大きな作業を伴わない軽作業の為、仮設足場を使わずに、ゴンドラ作業でも可能となり、工期短縮、経費節減に貢献する。
【発明を実施するための最良の形態】
【０００７】
既設建築物の外壁等のタイル壁においてタイルを連結している目地交点、つまり、いも目地ではタイル４枚、うま目地ではタイル３枚の交点の目地材に切り込み溝を入れタイル４枚または３枚のタイルの木口部分を長さ８ｃｍ程度に完全に露出させ、そして、躯体コンクリート層に２５ｍｍ以上到達する径５．５ｍｍ程度の孔を穿設し、上記孔及び削り込み溝に接着剤を充填した後、該部に装填できる頭部に貫通孔を有する形状の金具（以下、新型ガードピンと称す）の軸体を挿入し合わせて新型ガードピン頭部において接着剤を充填して隣接するタイル同士を結束させた後、目地の修正は既存目地の色に調色されている目地材にＳＢＲ系混和剤固形分１０％物で混練した材料で新型ガードピン装填跡を修復する既存タイルの落下防止工法。
【実施例】
【０００８】
図１は処理前の正面図、図２は図１のＡ−Ａ線の拡大断面図、図３は処理状態の略図的正面図、図４は削り込み溝などを刻設した状態の拡大正面図、図５は図４のＢ−Ｂ線断面図、図６は新型ガードピンを埋め込んだ状態の正面図、図７は図６のＣ−Ｃ線断面図、図８は新型ガードピンの斜視図である。
【０００９】
本発明は、下記の第１工程ないし第５工程からなる浮きタイルの落下防止工法である。
第１工程〜タイル壁面を対象に新型ガードピン５の設置箇所をマーキングする。第２工程〜マーキング点の中心に径５．５ｍｍ、深さとしてコンクリート躯体に２５ｍｍ以上届く孔ａをあける。孔ａを中心に長さ８ｃｍ程度の横一文字状の溝を穿設して、タイル４の木口面ｂを露出させ、新型ガードピン頭部５Ａで隣接するタイル４を掛架できるような形状箇所を構成する。第３工程〜ピンニング用接着剤を上記、構成した箇所に充填する。第４工程〜新型ガードピン５の軸体５Ｂをピンニング孔に挿入し、新型ガードピン頭部５Ａが位置する一文字溝の空隙部分を当該接着剤で埋め戻しをし、タイル４同士を掛架させる。第５工程〜上記接着剤の硬化後、既存目地材の色に調色した目地モルタル材にＳＢＲ系セメント混和剤固形分１０％物で混練し、新型ガードピン設置箇所の修復をするものである。
【００１０】
本発明の具体的な実施例として説明すると、本発明方法で処理される外壁の構成は、１はコンクリート躯体、２はモルタル層、３は圧着モルタル・目地モルタル、４はタイル、４Ｃは既存モルタル層をそれぞれ示す。
【００１１】
そこで、本発明方法を工程順に説明する。
第１工程〜浮きタイル４Ａのみの補修ではタイル壁面を調査して、浮きタイル４Ａと健全タイル４Ｂを選別し、マーキングする。また、全壁面補修では、うま目地ではタイル３枚、いも目地ではタイル４枚の交点にそれぞれマーキングし、新型ガードピン５の設置箇所を設定する。
第２工程〜新型ガードピン５の設置箇所、つまりタイル目地交点に径５．５ｍｍ程度、深さコンクリート躯体１に２５ｍｍ以上到達する孔ａをドリルで穿設する。
第３工程〜上記孔aを中心に長さ８ｃｍ程度にダイヤモンドカッターなどで目地モルタルを撤去しタイルの木口面ｂを露出させる。
第４工程〜新型ガードピン５の設置箇所a、ｂに接着剤を注入し、新型ガードピン５を挿入すると共に新型ガードピン頭部５Ａで隣接しているタイル木口面ｂで掛架すべく接着剤で埋め戻す。
第５工程〜上記接着剤が硬化後、既存目地材に合わせた目地モルタル材にＳＢＲ系セメント混和剤固形分１０％物で混練した材料で新型ガードピン設置箇所つまり目地交点を修復して作業は終了する。
なお、この新型ガードピン５については、第８図に示されている如くピン頭部５Ａが切り抜かれた貫通孔６を形成しているのでタイル木口部分同士が直接、接着するのでより一層、タイル間の連結が得られることになる。
【産業上の利用可能性】
【００１２】
各種タイル貼りの既存建築物の既存タイルの落下防止のために利用できるものである。
【図面の簡単な説明】
【００１３】
【図１】本発明である既存タイルの落下防止工法の処理前の正面図である。
【図２】本発明である既存タイルの落下防止工法の図１におけるＡ−Ａ線の拡大断面図である。
【図３】本発明である既存タイルの落下防止工法の処理状態の略図的正面図である。
【図４】本発明である既存タイルの落下防止工法の削り込み溝などを刻設した状態の正面図である。
【図５】本発明である既存タイルの落下防止工法の図４におけるＢ−Ｂ線断面図である。
【図６】本発明である既存タイルの落下防止工法の新型ガードピンを埋め込んだ状態の正面図である。
【図７】本発明である既存タイルの落下防止工法の図６におけるＣ−Ｃ線断面図である。
【図８】本発明である既存タイルの落下防止工法に係る新型ガードピンの斜視図である。
【符号の説明】
【００１４】
１・・・・コンクリート躯体                  ２・・・・モルタル層
３・・・・圧着モルタル・目地モルタル        ４・・・・タイル
４Ａ・・・・浮きタイル                      ４Ｂ・・・・健全タイル
４Ｃ・・・・既存モルタル層                    ５・・・・新型ガードピン
５Ａ・・・・新型ガードピンの頭部            ５Ｂ・・・・軸体
６・・・・貫通孔
ａ・・・・孔                                ｂ・・・・タイル木口面
【図１】
2005282145.tif 000003
【図２】
2005282145.tif 000004
【図３】
2005282145.tif 000005
【図４】
2005282145.tif 000006
【図５】
2005282145.tif 000007
【図６】
2005282145.tif 000008
【図７】
2005282145.tif 000009
【図８】
2005282145.tif 000010